(57)【特許請求の範囲】
【請求項１】
流入液体を受け入れるための流入口と、
所定の供給先へ向けて液体を排出するための流出口と、
前記流入口から前記流出口へ至る本流経路上に配置され、通過する液体の流量を調整するための絞り機構を有する堰状の流量調整部と、
前記流入口から流入した液体のうち、所定の溢流高さを越える分の液体をオーバーフローさせる障壁を有するオーバーフロー調整部とを備えると共に、
前記流量調整部の絞り機構における絞り量と、前記オーバーフロー調整部の障壁における溢流高さとを調整することにより、前記本流経路の下流側流量を目標流量に設定することを特徴とする流量調整槽。
【請求項２】
流入液体を受け入れるための流入口と、
所定の供給先へ向けて液体を排出するための流出口と、
一旦流入した液体の一部をオーバーフローさせて排出するためのオーバーフロー口と、
前記流入口から前記流出口へ至る本流経路上に配置され、通過する液体の流量を調整するための絞り機構を有する堰状の流量調整部と、
前記本流経路上の前記流量調整部が配置された箇所の上流側において分流して前記オーバーフロー口へ至る分流経路上に配置され、前記流入口から流入した液体のうち、所定の溢流高さを越える分の液体をオーバーフローさせる障壁を有するオーバーフロー調整部と、
前記本流経路の下流側における流量を測定するための流量測定手段とを備えると共に、
前記流量測定手段によって測定される流量に基づいて、前記流量調整部の絞り機構における絞り量と、前記オーバーフロー調整部の障壁における溢流高さとを調整することにより、所定の範囲の流量の液体が前記流入口から流入した場合の前記本流経路の下流側流量を目標流量を含む目標範囲内の流量となるように設定することを特徴とする流量調整槽。
【請求項３】
前記流量測定手段は、前記流出口の上流側に配置される所定の形状及び大きさを有する堰と、該堰の上流側に配置され、少なくとも前記堰の形状及び大きさに対応した流量と液面高さとの間の所定の関係に基づいて、前記液面高さに対応する流量値が表示された測定用目盛板とを有していると共に、
前記オーバーフロー調整部の障壁における溢流高さを、前記測定用目盛板における前記目標流量に対応する液面高さに略一致するように調整し、
前記流量調整部の絞り機構における絞り量を、前記オーバーフロー調整部の障壁における溢流高さが調整された状態で、前記測定用目盛板によって測定される流量が前記目標範囲内の流量となるように調整することを特徴とする請求項２記載の流量調整槽。
【請求項４】
前記流量調整部の絞り機構は、底部に設けられた開口部において液体を通過させる第１の固定部と、該第１の固定部に摺動可能に取り付けられ、前記開口部の開閉を行う第１のスライド部とを有し、該第１のスライド部が前記第１の固定部に対して変位することによって、前記開口部の開口面積が変化して通過する液体の流量が調整され、
前記オーバーフロー調整部は、第２の固定部と、該第２の固定部に摺動可能に取り付けられ上部において液体をオーバーフローさせる第２のスライド部とを有し、該第２のスライド部が前記第２の固定部に対して変位することによって、前記第２のスライド部の上部における溢流高さが変化して、オーバーフロー量が調整されることを特徴とする請求項２又は３記載の流量調整槽。
【請求項５】
流入口から流出口に至る経路上に設けられた第１及び第２の流量調整部の調整により排出流量を目標値に設定する定流出量調整方法であって、
前記第１の調整部は所定の溢流高さを越える分の液体をオーバーフローさせる障壁を有するオーバーフロー調整部とし、前記第２の調整部は通過する液体の流量を調整するための絞り機構を有する堰状調整部とし、
前記流出口近傍における排出流量を求めて該排出流量を監視しながら、所定の範囲の流量の液体が前記流入口から流入した場合の前記排出流量が目標範囲内の流量となるように、前記第１の調整部の障壁における溢流高さと、前記第２の調整部の絞り機構における絞り量とを相対的に調整することを特徴とする定流出量調整方法。
【発明の詳細な説明】
【０００１】
【発明の属する技術分野】
本発明は、例えば排水の流量を略一定に調整するための流量調整槽及び定流出量調整方法に関する。
【０００２】
【従来の技術】
図２１に示すように、ポンプ（但し同図に示す特性のポンプは汚水水中ポンプであって、原動機は三相２００［Ｖ］、５０［Ｈｚ］で同期速度３０００［１／ｍｉｎ］、出力０．２５［ｋＷ］である。）の吐出量は揚程と共に変化するので、この吐出量は貯留槽の水位によって変動することとなる。したがって、このポンプによって浄化処理施設等に向けて排水を送水する場合には送水量が変動し、特に急に送水量が増加するようなときは水処理の能力を越えてしまい、完全に処理しきれないことがある。
【０００３】
このため、上記吐出量を制御する方法として、ポンプに直流電動機や変速交流電動機を接続して回転数を変化させる方法や、吐出量の一部をバイパスを通して貯留槽に戻し、送水される側の処理能力に見合うようにバイパス弁を制御して戻し量を調節する方法等が採られている。
【０００４】
【発明が解決しようとする課題】
しかしながら、上記方法では、いずれも高価な制御用機器等を必要とし、構成が複雑となり、コストもかさむという問題がある。また、誤動作も起こり得、制御に係る部品の経時的劣化を考慮した交換も必要であり、精密な定期的検査も欠かすことができない。
【０００５】
そこで、本発明は、簡素かつ廉価に構成できるにもかかわらず、信頼性の高い確実な流量調整を行うことができ、維持管理も簡単な流量調整槽及び定流出量調整方法を提供することを目的とする。
【０００６】
【課題を解決するための手段】
上記課題を解決するために、請求項１記載の発明に係る流量調整槽は、流入液体を受け入れるための流入口と、所定の供給先へ向けて液体を排出するための流出口と、前記流入口から前記流出口へ至る本流経路上に配置され、通過する液体の流量を調整するための絞り機構を有する堰状の流量調整部と、前記流入口から流入した液体のうち、所定の溢流高さを越える分の液体をオーバーフローさせる障壁を有するオーバーフロー調整部とを備えると共に、前記流量調整部の絞り機構における絞り量と、前記オーバーフロー調整部の障壁における溢流高さとを調整することにより、前記本流経路の下流側流量を目標流量に設定することを特徴とする。
【０００７】
上記課題を解決するために、請求項２記載の発明に係る流量調整槽は、流入液体を受け入れるための流入口と、所定の供給先へ向けて液体を排出するための流出口と、一旦流入した液体の一部をオーバーフローさせて排出するためのオーバーフロー口と、前記流入口から前記流出口へ至る本流経路上に配置され、通過する液体の流量を調整するための絞り機構を有する堰状の流量調整部と、前記本流経路上の前記流量調整部が配置された箇所の上流側において分流して前記オーバーフロー口へ至る分流経路上に配置され、前記流入口から流入した液体のうち、所定の溢流高さを越える分の液体をオーバーフローさせる障壁を有するオーバーフロー調整部と、前記本流経路の下流側における流量を測定するための流量測定手段とを備えると共に、前記流量測定手段によって測定される流量に基づいて、前記流量調整部の絞り機構における絞り量と、前記オーバーフロー調整部の障壁における溢流高さとを調整することにより、所定の範囲の流量の液体が前記流入口から流入した場合の前記本流経路の下流側流量を目標流量を含む目標範囲内の流量となるように設定することを特徴とする。
【０００８】
上記課題を解決するために、請求項３記載の発明は、請求項２記載の流量調整槽であって、前記流量測定手段は、前記流出口の上流側に配置される所定の形状及び大きさを有する堰と、該堰の上流側に配置され、少なくとも前記堰の形状及び大きさに対応した流量と液面高さとの間の所定の関係に基づいて、前記液面高さに対応する流量値が表示された測定用目盛板とを有していると共に、前記オーバーフロー調整部の障壁における溢流高さを、前記測定用目盛板における前記目標流量に対応する液面高さに略一致するように調整し、前記流量調整部の絞り機構における絞り量を、前記オーバーフロー調整部の障壁における溢流高さが調整された状態で、前記測定用目盛板によって測定される流量が前記目標範囲内の流量となるように調整することを特徴とする。
【０００９】
上記課題を解決するために、請求項４記載の発明は、請求項２又は３記載の流量調整槽であって、前記流量調整部の絞り機構は、底部に設けられた開口部において液体を通過させる第１の固定部と、該第１の固定部に摺動可能に取り付けられ、前記開口部の開閉を行う第１のスライド部とを有し、該第１のスライド部が前記第１の固定部に対して変位することによって、前記開口部の開口面積が変化して通過する液体の流量が調整され、前記オーバーフロー調整部は、第２の固定部と、該第２の固定部に摺動可能に取り付けられ上部において液体をオーバーフローさせる第２のスライド部とを有し、該第２のスライド部が前記第２の固定部に対して変位することによって、前記第２のスライド部の上部における溢流高さが変化して、オーバーフロー量が調整されることを特徴とする。
【００１１】
上記課題を解決するために、請求項５記載の発明は、流入口から流出口に至る経路上に設けられた第１及び第２の流量調整部の調整により排出流量を目標値に設定する定流出量調整方法であって、前記第１の調整部は所定の溢流高さを越える分の液体をオーバーフローさせる障壁を有するオーバーフロー調整部とし、前記第２の調整部は通過する液体の流量を調整するための絞り機構を有する堰状調整部とし、前記流出口近傍における排出流量を求めて該排出流量を監視しながら、所定の範囲の流量の液体が前記流入口から流入した場合の前記排出流量が目標範囲内の流量となるように、前記第１の調整部の障壁における溢流高さと、前記第２の調整部の絞り機構における絞り量とを相対的に調整することを特徴とする。
【００１２】
【発明の実施の形態】
以下、本発明の実施の形態を図面を参照して詳細に説明する。
【００１３】
実施の形態１．
図１は本発明の実施の形態１による流量調整槽の構成を示す平面図、図２は図１のＡ−Ａ線に沿った断面図、図３は図１のＢ−Ｂ線に沿った断面図、図４は図１のＣ−Ｃ線に沿った断面図、図５は図１のＤ−Ｄ線に沿った断面図、図６は同流量調整槽を構成する流出量調整部の固定板及びスライド板を示す正面図、図７は同流量調整槽を構成するオーバーフロー調整部の固定板及びスライド板を示す正面図、図８は、同流量調整槽が適用される排水系の構成を模式的に示す図である。
【００１４】
この実施の形態１による流量調整槽１は、図８に示すように、貯留槽２に貯留された汚水等の排水が貯留槽２内に設置された水中ポンプ３によって揚水されて、例えば浄化施設の処理槽４に送られる経路上に配設され、送水管５を介して水中ポンプ３から送られてくる排水の一部をバイパス管６を介して貯留槽２内へ戻すことによって、水中ポンプ３から送られてくる排水の流量の変動にかかわらず予め設定された一定の流量の排水を送水管７を介して処理槽４へ向けて送る。
【００１５】
流量調整槽１は、図１乃至図７に示すように、貯留槽２から送られてくる排水を受け入れるための流入口１ａと、処理槽４に略一定の流量の排水を送るための流出口１ｂと、流入口１ａ側に配置され、一旦流入した排水の一部を貯留槽２へ戻すためのバイパス管６に接続されたオーバーフロー口１ｃとを有する略直方体形状の水槽である。
【００１６】
この流量調整槽１には、流入口１ａから流出口１ｂへ至る本流経路上の流入口１ａ寄りの箇所に、流出口１ｂからの排水の流出量が所定の略一定した値になるように調整するための流量調整部１１が設けられ、上記本流経路上の流量調整部１１が配置された箇所の上流側で分流してオーバーフロー口１ｃへ至る分流経路上のオーバーフロー口１ｃのやや上流側の箇所には、流出口１ａから流入した排水のうち後述するスライド板の開口部下縁の高さ（溢流高さ）を越える分の排水をオーバーフローさせるオーバーフロー調整部１２が設けられている。
【００１７】
また、流量調整部１１の上流側には、底部に開口部１３ａを有する整流板１３が設けられ、流量調整部１１と流出口１ｃとの間には所定の形状を有する堰板１４が配置されている。
【００１８】
流量調整部１１は、底部に液体が通過する開口部１１１ａを有する整流板１１１に、開口部１１１ａと略同一の形状及び大きさの開口部１１２ａを有する固定板１１２が両開口部を重ねるように取り付けられ、さらに固定板１１２に摺動可能にスライド板１１３が取り付けられて構成され、スライド板１１３が固定板１１２に対して上下方向に変位することによって、開口部１１２ａ（１１１ａ）の開口面積が変化して、排水の通過流量が調整される。
【００１９】
また、整流板１１１の所定の箇所には、現在の排水の流量値が指示される目盛板１５が取り付けられている。
【００２０】
オーバーフロー調整部１２は、固定板１２１に、開口部１２２ａを有するスライド板１２２が摺動可能に取り付けられて構成され、スライド板１２２が固定板１２１に対して上下方向に変位することによって、開口部１２２ａ下縁の高さ  （溢流高さ）が変化して、オーバーフローが開始又は停止する位置（高さ）が変化し、オーバーフロー調整部１２におけるオーバーフロー量が調整される。
【００２１】
堰板１４は、Ｖ字形状の切欠き部を有する三角堰を構成しており、この切欠き部の頂角は６０度に設定されている。また、切欠き部の深さ、底面から切欠き部下縁までの高さ、堰の幅（すなわち水路の幅）等も所定の値に設定されている。
【００２２】
目盛板１５は、数１によって与えられるような堰板１４の切欠き部の頂角や堰板１４の幅等に対応した水位と流量との間の所定の関係に基づいて、水位に対応する流量値が目盛られており、水面位置に対応した目盛りの値を直接読み取ることによって、流量値を知ることができるようになっている。
【００２３】
すなわち、流量Ｑは数１によって与えられる。
【００２４】
【数１】
0004286975.tif 000002
数１で、Ｑは流量「ｍ3 ／Hour］、ｚは堰の水頭［ｍ］、Ｋは数２で与えられる流量係数である。
【００２５】
【数２】
0004286975.tif 000003
数２で、Ｗは水路の幅［ｍ］、Ｒは数３で与えられる係数である。
【００２６】
【数３】
0004286975.tif 000004
数３で、νは動粘性係数［cm2 ／sec ］であり、流体が水の場合については、略０．０１［cm2 ／sec ］となる。
【００２７】
この実施の形態では、流入する排水の予想される流量の範囲や、要求される設定流出量（目標流量）の範囲及び調整精度等に応じて、構成各部の寸法や構造等が設計され、例えば、流出口側の流量の変動幅（目標範囲）は、流入口側の流量の変動幅に対して、略１０％以内に収まるように設計される。
【００２８】
また、流出口１ｂにおける排水の設定流出量は、流量調整槽１の後段の設備の水処理能力に適合するように設定され、この設定流出量に基づいて、開口部１２２ａの下縁の高さ及び開口部１１２ａの開口面積が、この流量調整槽１が実際に運用される前に予め設定される。
【００２９】
上記スライド部１２２の開口部１２２ａの下縁の高さ（溢流高さ）は、設定流出量に対応する目盛板１５の目盛り位置の底面からの高さに略一致するように設定する。また、開口部１１２ａの開口面積は、設定流出量よりも多い略一定流量の水を流入口１ａから流入させた状態で、目盛板１５を用いて水の流量値を見ながら、流出口１ｂからの水の流出量が設定流出量近傍で安定するように、スライド板１１３を摺動させて設定する。
【００３０】
例えば、設定流出量が１．０［ｍ3 ／Hour］の場合は、まず、目盛板１５において１．０［ｍ3 ／Hour］の流量値に対応する目盛り位置の高さを確認し、この高さに開口部１２２ａの下縁の高さが略一致するように、スライド板１２２を摺動させて固定する。
【００３１】
次に、開口部１１２ａを所定の開口状態（例えば全開）とした後、例えば、流入口１ａから略３．０［ｍ3 ／Hour］の一定流量（設定流入量）で水を流入させる。この状態で、目盛板１５における指示を確認しながらスライド板１１３を徐々に下げて開口部１１２ａを絞っていく。
【００３２】
そして、目盛板１５における水位が１．０［ｍ3 ／Hour］の流量値に対応する目盛り位置で安定したときに、スライド板１１３を固定して、このときの開口部１１２ａの開口面積（絞り量）を保持する。
【００３３】
例えば、開口部１１２ａが最初の開口状態（例えば全開）の場合に、流入時の流量が１．０［ｍ3 ／Hour］で、スライド板１２２の開口部１２２ａにおいては凡そオーバーフロー寸前の状態であるとすると、水はこのまま開口部１１２ａを通過して、１．０［ｍ3 ／Hour］の流量で流出することとなる。
【００３４】
このとき、流入時の流量を１．０［ｍ3 ／Hour］のままとして、開口部１１２ａを上記最初の開口状態から絞っていくと、これにともなって開口部１１２ａを通過する水の流量は減少し、この減少分に対応した流量の水が、スライド板１２２の開口部１２２ａからオーバーフローする。
【００３５】
また、開口部１１２ａを上記最初の開口状態のままとして、流入時の流量が１．０［ｍ3 ／Hour］から増加した場合は、この増加分に対応して所定の流量の水がスライド部１２２の開口部１２２ａからオーバーフローする。また、開口部１１２ａを通過する水の流量についても若干の増加がある。
【００３６】
ここで、開口部１１２ａを最初の開口状態から絞っていくと、流入時の流量が増加したときの開口部１１２ａを通過する水の流量の増加分は、絞り量に応じて低減され、所定の絞り量において、流入時の流量が変動しても流量の変動が所望の範囲内で抑えられるようになる。
【００３７】
このようにして、流入時の流量が流出時の設定流出量（例えば１．０［ｍ3 ／Hour］）を越えて増加しかつ変動しても、流出時の流量は略設定流出量を中心とした目標範囲内で安定することとなる。
【００３８】
設定が完了した後、この流量調整槽１は例えば図８に示すような排水系において実際に運用される。
【００３９】
水中ポンプ３は、貯留槽２に貯留されている排水が所定の水位に達したところで運転を開始し、この排水を揚水して、送水管５を介して流量調整槽１に送る。流量調整槽１においては、流入口１ａからこの排水が流入する。
【００４０】
ここで、流出口１ｂからの排水の流出時の設定流出量を、上記のように１．０［ｍ3 ／Hour］とした場合は、例えばこの設定流出量を越える流量の排水が流入すると、この越えた分は、オーバーフロー調整部１２において溢れて、オーバーフロー口１ｃから排出され、バイパス管６を介して貯留槽２内へ戻される。
【００４１】
一方、オーバーフローしない分は流出口１ｂ側へ向かって流れ、流出口１ｂからは略１．０［ｍ3 ／Hour］近傍の所定の流量で流出する。
【００４２】
もし、流入口１ａから流入する排水の流量が変動すると、これに応じてオーバーフロー調整部１２において溢れる排水のオーバーフロー流量が変化して、オーバーフロー口１ｃから排出され、流出口１ｂから流出する排水は、１．０［ｍ3 ／Hour］を含む所定の範囲内の流量で流出し、時間的に安定した値となる。
【００４３】
これにより、浄化施設の処理槽４へは、送水管７を介して、安定した流量の排水が流れ込むこととなる。
【００４４】
なお、流入口１ａから流入する排水の流量が設定流出量（例えば１．０［ｍ3 ／Hour］）以下のときは、排水はこのまま流出口１ｂから流出するが、目標流量はこの流量調整槽１の後段の設備の水処理能力に適合するように設定されるので、例え急激に変化したとしても、この設定流出量以下の範囲であれば、上記設備の水処理に悪影響を及ぼすことはない。
【００４５】
なお、発明者が、この流量調整槽１を用い、設定流出量及び設定流入量の組合せを変えて、実際に試験を行ったところ、図９乃至図１４に示すような結果を得た。
【００４６】
まず、流出口１ｂからの水の設定流出量（流出量の目標値）を１．０［ｍ3 ／Hour］として、スライド板１２２の開口部１２２ａ下縁の高さ（オーバー高さ）を、１９１．３［ｍｍ］に設定した。次に、開口面積の設定のために流入口１ａからの最初の水の流入量（設定流入量）を３．０［ｍ3 ／Hour］に略固定した。そして、この状態で、開口部１１２ａを絞っていって、目盛板１５の指示を確認しながら開口面積の設定を行い、この開口の上端縁の高さすなわちスライド板１１３の下端縁の高さ（流量調整部開口高さ）を９．１５［ｍｍ］とした。この上で、引き続き水の流入量を変化させて、流出量を測定した。
【００４７】
この結果、図９に示すように、流入量及び流出量の時間的変化を示す曲線が得られた。同図において、Ｓ11はその流入量の時間的変化を示す曲線、Ｓ12は流出量の時間的変化を示す曲線である。また、Ｓ13は設定流出量を示し、Ｓ14は対照のための流量調整部がない場合の流出量の時間的変化を示す曲線である。
【００４８】
同様にして、設定流出量を１．０［ｍ3 ／Hour］、設定流入量を７．０［ｍ3 ／Hour］、上記オーバー高さを１９１．３［ｍｍ］、上記流量調整部開口高さを６．３［ｍｍ］に設定した場合の流入量及び流出量の時間的変化を測定し、図１０に示すような結果を得た。
【００４９】
同図において、Ｓ21はその流入量の時間的変化を示す曲線、Ｓ22は流出量の時間的変化を示す曲線である。また、Ｓ23は目標流量を示し、Ｓ24は対照のための流量調整部がない場合の流出量の時間的変化を示す曲線である。
【００５０】
また、設定流出量を２．０［ｍ3 ／Hour］、設定流入量を７．０［ｍ3 ／Hour］、上記オーバー高さを２０４．６［ｍｍ］、上記流量調整部開口高さを１２．１［ｍｍ］に設定した場合の流入量及び流出量の時間的変化を測定し、図１１に示すような結果を得た。
【００５１】
同図において、Ｓ31はその流入量の時間的変化を示す曲線、Ｓ32は流出量の時間的変化を示す曲線である。また、Ｓ33は設定流出量を示し、Ｓ34は対照のための流量調整部がない場合の流出量の時間的変化を示す曲線である。
【００５２】
また、設定流出量を５．０［ｍ3 ／Hour］、設定流入量を１０．０［ｍ3 ／Hour］、上記オーバー高さを２１８［ｍｍ］、上記流量調整部開口高さを４０．１［ｍｍ］に設定した場合の流入量及び流出量の時間的変化を測定し、図１２に示すような結果を得た。
【００５３】
同図において、Ｓ41はその流入量の時間的変化を示す曲線、Ｓ42は流出量の時間的変化を示す曲線である。また、Ｓ43は設定流出量を示し、Ｓ44は対照のための流量調整部がない場合の流出量の時間的変化を示す曲線である。
【００５４】
また、設定流出量を５．０［ｍ3 ／Hour］、設定流入量を１０．０［ｍ3 ／Hour］、上記オーバー高さを２１８［ｍｍ］、上記流量調整部開口高さを４０．１［ｍｍ］に設定した場合の流入量及び流出量の時間的変化を測定し、図１３に示すような結果を得た。
【００５５】
同図において、Ｓ51はその流入量の時間的変化を示す曲線、Ｓ52は流出量の時間的変化を示す曲線である。また、Ｓ53は設定流出量を示し、Ｓ54は対照のための流量調整部がない場合の流出量の時間的変化を示す曲線である。
【００５６】
また、設定流出量を７．０［ｍ3 ／Hour］、設定流入量を１０．０［ｍ3 ／Hour］、上記オーバー高さを２４０．１［ｍｍ］、上記流量調整部開口高さを５５［ｍｍ］に設定した場合の流入量及び流出量の時間的変化を測定し、図１４に示すような結果を得た。
【００５７】
同図において、Ｓ61はその流入量の時間的変化を示す曲線、Ｓ62は流出量の時間的変化を示す曲線である。また、Ｓ63は設定流出量を示し、Ｓ64は対照のための流量調整部がない場合の流出量の時間的変化を示す曲線である。
【００５８】
さらに、実験の結果得られた図９乃至図１４に示す流入量及び流出量の時間的変化のデータに基づいて、測定された実際の流出量の設定流出量からのずれの設定流出量に対する比である流出量変化率を対応する流入量について求めた。
【００５９】
すなわち、流出量変化率ｒ［％］を数４によって求めた。
【００６０】
【数４】
0004286975.tif 000005
但し、Ｑm は測定された実際の流出量、Ｑ0 は設定流出量である。
【００６１】
上記流出量変化率によって、実際の流出量が設定流出量からどの程度離れているか知ることができる。すなわち、流出量変化率が０に近いほど設定流出量に近く良好に制御されていることがわかる。なお、流出量変化率は、実際の流出量が増加方向に変化する場合は正の値となり、減少方向に変化する場合は負の値となる。
【００６２】
図９乃至図１４に示した各場合について、数４を用いて実際の流出量に対応する流出量変化率を算出し、それぞれ、対応する流入量と流出量変化率との間の関係を求めたところ、図１５乃至図２０に示すような結果が得られた。
【００６３】
図１５において、Ｓ15は図９に示す結果に基づいて得られた本実施の形態１による流量調整槽使用時の流入量と流出量変化率との間の関係を示す曲線、Ｓ16は対照のための流量調整部なしの槽を使用した時の流入量と流出量変化率との間の関係を示す曲線である。
【００６４】
また、図１６において、Ｓ25は図１０に示す結果に基づいて得られた本実施の形態１による流量調整槽使用時の流入量と流出量変化率との間の関係を示す曲線、Ｓ26は流量調整部なしの槽を使用した時の流入量と流出量変化率との間の関係を示す曲線である。
【００６５】
また、図１７において、Ｓ35は図１１に示す結果に基づいて得られた本実施の形態１による流量調整槽使用時の流入量と流出量変化率との間の関係を示す曲線、Ｓ36は流量調整部なしの槽を使用した時の流入量と流出量変化率との間の関係を示す曲線である。
【００６６】
また、図１８において、Ｓ45は図１２に示す結果に基づいて得られた本実施の形態１による流量調整槽使用時の流入量と流出量変化率との間の関係を示す曲線、Ｓ46は流量調整部なしの槽を使用した時の流入量と流出量変化率との間の関係を示す曲線である。
【００６７】
また、図１９において、Ｓ55は図１３に示す結果に基づいて得られた本実施の形態１による流量調整槽使用時の流入量と流出量変化率との間の関係を示す曲線、Ｓ56は流量調整部なしの槽を使用した時の流入量と流出量変化率との間の関係を示す曲線である。
【００６８】
また、図２０において、Ｓ65は図１４に示す結果に基づいて得られた本実施の形態１による流量調整槽使用時の流入量と流出量変化率との間の関係を示す曲線、Ｓ66は流量調整部なしの槽を使用した時の流入量と流出量変化率との間の関係を示す曲線である。
【００６９】
図１５乃至図２０に示す特性図より、各場合において、流量調整部を備えた本実施の形態１による流量調整槽使用時の流出量変化率は、流量調整部なしの槽を使用した時の流出量変化率と比較して、その流出量変化率の幅（最大の流出量変化率と最小の流出量変化率との間の間隔）が格段に小さくなっていることがわかる。
【００７０】
このことは、本実施の形態１による流量調整槽が、流入量が変化しても、流出量が変化するのを抑制するように、すなわち、流出量を所定の誤差内で略一定となるように制御することを示す。
【００７１】
以上説明したように、本実施の形態１によれば、流量調整は最初の流量調整部１１及びオーバーフロー調整部１２の設定によって行われ、また流量は目盛板１５の直読によって求められるので、電気的電子的に動作する箇所がないため、簡素かつ廉価な構成でありながら、故障も起こりにくい信頼性の高い確実な流量調整を行わせることができる。
【００７２】
また、一度設定してしまえば、原則として手を加える必要はなく、制御のための電力も必要ない。また、部品の交換等も殆ど不要であり、かつ、保守点検として、流量調整部１１及びオーバーフロー調整部１２並びに堰板１４のＶノッチ板の清掃程度で、その他の手間は殆どかからない。このため、維持費用も格段に低減することができる。
【００７３】
以上、本発明の実施の形態を詳述してきたが、具体的な構成はこの実施の形態に限られるものではない。
【００７４】
例えば、上述した実施の形態１では、三角堰を用いる場合について述べたが、堰板の形状等は、扱う液体の流量の範囲等に応じて、頂角を変更したものとし、これに対応した水位と流量との間の関係式を採用するようにしても良い。
【００７５】
また、設定流出量を１．０［ｍ3 ／Hour］とした場合について説明したが、目標流量やその調整精度、流入流量等に対応した構成各部の設計が可能であるし、例えば、単一の流量調整槽を用いる以外にも、同一の流量調整槽を並列に接続して、より大きい流入量に対応するようにしても良いし、直列に接続して精度を高めるようしても良い。
【００７６】
また、スライド部１２２の開口部１２２ａの下縁の高さを、目標流量に対応した高さに合わせる場合について述べたが、必ずしもこの高さに合わせなくても良いし、例えば、所定の流量で流入させた場合のオーバーフロー寸前の高さとしても良い。
【００７７】
また、略３．０［ｍ3 ／Hour］の設定流入量で水を流入させて、流量調整部１１における設定を行う場合について述べたが、特に決まった流量である必要はなく、単に目標流量よりも幾分多いことがわかる程度で良い。
【００７８】
したがって、必ずしも流入側の流量を測定することはないが、この流量は、スライド部１２２の開口部１２２ａの下縁の高さを十分高くしておいた状態で、目盛板１５の目盛りを読むことによって知ることはできる。この後、開口部１２２ａの下縁の高さを設定して、流量調整部１１における設定を行うようにしても良い。
【００７９】
また、開口部１２２ａの下縁の高さ及び開口部１１２ａの開口面積を、この流量調整槽１が実際に運用される前に予め設定する場合について述べたが、この設定は実働中であっても可能である。
【００８０】
また、開口部１１２ａの開口面積の設定を開口状態から絞り込むようにして調整して行う場合について述べたが、逆に絞った状態から開放する方向に調整することも可能である。
【００８１】
また、堰を利用して流量を求める場合について述べたが、これ以外の流量計を用いて測定しても良いし、流量計を別置としても良い。
【００８２】
また、流量調整部の固定板の開口部の形状は必ずしも矩形である必要はなく、例えば円形やＶ字型及び台形型としても良い。
【００８３】
また、流出量調整部の固定板及びスライド板を、最も上流側の清流板に直接取り付けるようにしても良い。また、下流側の整流板は垂下するように配置しても良い。
【００８４】
また、流入口１ａ、流出口１ｂ、オーバーフロー口１ｃは単数とは限らず、複数設けるようにしても良い。
【００８５】
また、扱う液体は汚水以外にも清水でも良いし、水以外の液体でも良い。
【００８６】
【発明の効果】
以上説明したように、請求項１記載の発明によれば、本流経路の下流側における流量が目標流量に基づいて、流量調整部の絞り機構において絞り量が、オーバーフロー調整部の障壁において溢流高さが、それぞれ設定されることによって流量が調整されるので、簡素かつ廉価な構成でありながら、障害が起こりにくい信頼性の高い確実な流量調整を行わせることができる。
【００８７】
また、一度設定してしまえば、原則として手を加える必要がなく、制御のための電力も必要ない。また、部品の交換等も殆ど不要であり、かつ、保守点検の手間も軽減される。このため、維持費用も格段に低減することができる。
【００８８】
また、請求項２記載の発明によれば、流量測定手段によって測定される本流経路の下流側における流量が前記目標流量を含む目標範囲内の値となるように、流量調整部の絞り機構における絞り量と、オーバーフロー調整部の障壁における溢流高さが設定されることによって流量が調整されるので、簡素かつ廉価な構成でありながら、流出側の流量を所定の変動範囲で正確かつ確実に制御することができる。
【００８９】
また、請求項３記載の発明によれば、流量調整は流量調整部及びオーバーフロー調整部の設定によって行われるのに加え、設定の際に必要な流量値は、堰を利用し測定用目盛板の表示によって求められるので、電気的電子的な制御を必要としないため、一段と簡素かつ廉価な構成とすることができ、しかも、障害も起こり難い信頼性の高い確実な流量調整を行わせることができる。
【００９０】
また、請求項４記載の発明によれば、流量調整部においては、第１のスライド部が第１の固定部に対して変位することによって、第１の固定部の開口部の開口面積が変化して通過する液体の流量が調整され、オーバーフロー調整部においては、第２のスライド部が第２の固定部に対して変位することによって、第２のスライド部における溢流高さが変化して、オーバーフロー量が調整されるので、簡素かつ廉価な構成でありながら、簡単かつ確実に設定を行い、信頼性の高い流量調整を行うことができる。
【００９３】
また、請求項５記載の発明によれば、流量測定手段によって測定される本流経路の下流側における流量が前記目標流量を含む目標範囲内の値となるように、流量調整部の絞り機構における絞り量と、オーバーフロー調整部の障壁における溢流高さとを設定して流量が調整されるので、簡素かつ廉価でありながら、流出側の流量を所定の変動範囲で正確かつ確実に制御することができる。
【図面の簡単な説明】
【図１】本発明の実施の形態１による流量調整槽の構成を示す平面図である。
【図２】図１のＡ−Ａ線に沿った断面図である。
【図３】図１のＢ−Ｂ線に沿った断面図である。
【図４】図１のＣ−Ｃ線に沿った断面図である。
【図５】図１のＤ−Ｄ線に沿った断面図である。
【図６】同流量調整槽を構成する流出量調整部の固定板及びスライド板を示す正面図である。
【図７】同流量調整槽を構成するオーバーフロー調整部の固定板及びスライド板を示す正面図である。
【図８】同流量調整槽が適用される排水系の構成を模式的に示す図である。
【図９】同流量調整槽を用いて実際に試験を行った結果である流入量及び流出量の時間的変化を示す特性図である。
【図１０】同流量調整槽を用いて実際に試験を行った結果である流入量及び流出量の時間的変化を示す特性図である。
【図１１】同流量調整槽を用いて実際に試験を行った結果である流入量及び流出量の時間的変化を示す特性図である。
【図１２】同流量調整槽を用いて実際に試験を行った結果である流入量及び流出量の時間的変化を示す特性図である。
【図１３】同流量調整槽を用いて実際に試験を行った結果である流入量及び流出量の時間的変化を示す特性図である。
【図１４】同流量調整槽を用いて実際に試験を行った結果である流入量及び流出量の時間的変化を示す特性図である。
【図１５】図９で示された流入量及び流出量の時間的変化から求められた流入量と流出量変化率との間の関係を示す特性図である。
【図１６】図１０で示された流入量及び流出量の時間的変化から求められた流入量と流出量変化率との間の関係を示す特性図である。
【図１７】図１１で示された流入量及び流出量の時間的変化から求められた流入量と流出量変化率との間の関係を示す特性図である。
【図１８】図１２で示された流入量及び流出量の時間的変化から求められた流入量と流出量変化率との間の関係を示す特性図である。
【図１９】図１３で示された流入量及び流出量の時間的変化から求められた流入量と流出量変化率との間の関係を示す特性図である。
【図２０】図１４で示された流入量及び流出量の時間的変化から求められた流入量と流出量変化率との間の関係を示す特性図である。
【図２１】従来技術を説明するための説明図であって、ポンプの性能例としてポンプの揚程と吐出量との間の関係を示す特性図である。
【符号の説明】
１  流量調整槽
１ａ  流入口
１ｂ  流出口
１ｃ  オーバーフロー口
１１  流出量調整部
１１１  整流板
１１２  固定板（第１の固定部）
１１２ａ  開口部
１１３  スライド板（第１のスライド部）
１２  オーバーフロー調整部
１２１  固定板（第２の固定部）
１２２  スライド板（障壁、第２のスライド部）
１２２ａ  開口部
１３  整流板
１３ａ  開口部
１４  堰板（流量測定手段、堰）
１５  目盛板（流量測定手段、測定用目盛板）
【図１】
0004286975.tif 000006
【図２】
0004286975.tif 000007
【図３】
0004286975.tif 000008
【図４】
0004286975.tif 000009
【図５】
0004286975.tif 000010
【図６】
0004286975.tif 000011
【図７】
0004286975.tif 000012
【図８】
0004286975.tif 000013
【図９】
0004286975.tif 000014
【図１０】
0004286975.tif 000015
【図１１】
0004286975.tif 000016
【図１２】
0004286975.tif 000017
【図１３】
0004286975.tif 000018
【図１４】
0004286975.tif 000019
【図１５】
0004286975.tif 000020
【図１６】
0004286975.tif 000021
【図１７】
0004286975.tif 000022
【図１８】
0004286975.tif 000023
【図１９】
0004286975.tif 000024
【図２０】
0004286975.tif 000025
【図２１】
0004286975.tif 000026